(57)【要約】【課題】光ディスクの記録または再生中に暴走してディスクの同期信号が取れない場合でも短時間でディスクの同期信号を検出する。【解決手段】同期信号判定部１７で同期信号が検出されたか否かを判定し、同期信号が検出された場合に同期信号発生部１６で発生された同期信号を用い、暴走と呼ばれるような同期信号が検出されない場合、同期信号算出部２６で位置情報とアドレス情報とから算出された同期信号を用いて光ディスク１０の回転制御を行う。【選択図】    図１
2004362622.tif 000002
【特許請求の範囲】
【請求項１】
回転される光ディスクの半径方向に沿って移動自在に構成され、この光ディスクに記録された同期信号を含む情報信号を読取る読取手段と、
この読取手段で読取られた情報信号から同期信号を発生する発生手段と、
前記読取手段の移動位置を検出する位置検出手段と、
この位置検出手段で検出された位置情報に基づいて同期信号を算出する算出手段と、
前記読取手段で読取られた情報信号から復調されたアドレス情報に基づいて目標周波数信号を発生する目標周波数信号発生手段と、
前記読取手段で読取られた情報信号から同期信号が検出されたか否かを判定する判定手段と、
この判定手段の判定結果に応じて前記発生手段で発生された同期信号、または前記算出手段で算出された同期信号を選択する選択手段と、
この選択手段で選択された同期信号と前記目標周波数信号発生手段で発生された目標周波数信号とを比較する比較手段と、
この比較手段で比較された差成分に基づいて前記光ディスクの回転速度を制御する制御手段と、
を具備することを特徴とする光ディスク装置。
【請求項２】
回転される光ディスクの半径方向に沿って移動自在に構成され、この光ディスクに記録された同期信号を含む情報信号を読取る読取手段と、
この読取手段で読取られた情報信号から同期信号を発生する発生手段と、
前記読取手段で読取られた情報信号からアドレス情報を復調する復調手段と、
この復調手段で復調されたアドレス情報に基づいて目標周波数信号を発生する目標周波数信号発生手段と、
前記読取手段の移動位置を検出する位置検出手段と、
この位置検出手段で検出された位置情報と前記復調手段で復調されたアドレス情報とから同期信号を算出する算出手段と、
前記読取手段で読取られた情報信号から同期信号が検出されたか否かを判定する判定手段と、
この判定手段の判定結果に応じて前記発生手段で発生された同期信号、または前記算出手段で算出された同期信号を選択する選択手段と、
この選択手段で選択された同期信号と前記目標周波数信号発生手段で発生された目標周波数信号とを比較する比較手段と、
この比較手段で比較された差成分に基づいて前記光ディスクの回転速度を制御する制御手段と、
を具備することを特徴とする光ディスク装置。
【請求項３】
回転される光ディスクの半径方向に沿って移動自在に構成され、この光ディスクに記録された同期信号を含む情報信号を読取る読取手段と、
この読取手段で読取られた情報信号から同期信号を発生する発生手段と、
前記読取手段で読取られた情報信号からアドレス情報を復調する復調手段と、
この復調手段で復調されたアドレス情報に基づいて目標周波数信号を発生する目標周波数信号発生手段と、
前記読取手段の移動を検出する信号を出力する信号出力手段と、
この信号出力手段から出力された信号に基づいて前記読取手段の位置を検出して位置情報を出力する位置検出手段と、
この位置検出手段で検出された位置情報と前記復調手段で復調されたアドレス情報とから同期信号を算出する算出手段と、
前記読取手段で読取られた情報信号から同期信号が検出されたか否かを判定する判定手段と、
この判定手段の判定結果に応じて前記発生手段で発生された同期信号、または前記算出手段で算出された同期信号を選択する選択手段と、
この選択手段で選択された同期信号と前記目標周波数信号発生手段で発生された目標周波数信号とを比較して周波数誤差信号を出力する第１の比較手段と、
前記選択手段で選択された同期信号と前記目標周波数信号発生手段で発生された目標周波数信号とを比較して位相誤差信号を出力する第２の比較手段と、
前記第１の比較手段から出力された周波数誤差信号と前記第２の比較手段から出力された位相誤差信号とを加算して加算信号を出力する加算手段と、
この加算手段から出力された加算信号に基づいて前記光ディスクの回転速度を制御する制御手段と、
を具備することを特徴とする光ディスク装置。
【請求項４】
回転される光ディスクの半径方向に沿って移動自在に構成され、この光ディスクに記録された同期信号を含む情報信号を読取る読取手段と、この読取手段の移動位置を検出する位置検出手段とを有する光ディスク装置のディスク回転制御方法であって、
前記読取手段で読取られた情報信号から第１の同期信号を発生し、
前記位置検出手段で検出された位置情報に基づいて第２の同期信号を算出し、
前記読取手段で読取られた情報信号から復調されたアドレス情報に基づいて目標周波数信号を発生し、
前記読取手段で読取られた情報信号から同期信号が検出されたか否かを判定し、
この判定結果に応じて前記第１の同期信号または前記前記第２の同期信号を選択し、
この選択された第１または第２の同期信号と前記目標周波数信号とを比較し、
この比較された差成分に基づいて前記光ディスクの回転速度を制御するようにしたことを特徴とする光ディスク装置のディスク回転制御方法。
【請求項５】
回転される光ディスクの半径方向に沿って移動自在に構成され、この光ディスクに記録された同期信号を含む情報信号を読取る読取手段と、この読取手段の移動位置を検出する位置検出手段とを有する光ディスク装置のディスク回転制御方法であって、
前記読取手段で読取られた情報信号から第１の同期信号を発生し、
前記位置検出手段で検出された位置情報に基づいて第２の同期信号を算出し、
前記読取手段で読取られた情報信号から復調されたアドレス情報に基づいて目標周波数信号を発生し、
前記読取手段で読取られた情報信号から同期信号が検出されたか否かを判定し、
同期信号が検出されたと判定された場合に前記第１の同期信号を選択し、同期信号が検出されなかったと判定された場合に前記第２の同期信号を選択し、
この選択された第１または第２の同期信号と前記目標周波数信号とを比較し、
この比較された差成分に基づいて前記光ディスクの回転速度を制御するようにしたことを特徴とする光ディスク装置のディスク回転制御方法。
【請求項６】
回転される光ディスクの半径方向に沿って移動自在に構成され、この光ディスクに記録された同期信号を含む情報信号を読取る読取手段と、この読取手段の移動位置を検出する位置検出手段とを有する光ディスク装置のディスク回転制御方法であって、
この読取手段で読取られた情報信号から第１の同期信号を発生し、
前記読取手段で読取られた情報信号からアドレス情報を復調し、
この復調されたアドレス情報に基づいて目標周波数信号を発生し、
前記位置検出手段で検出された位置情報と前記復調されたアドレス情報とから同期信号を算出し、
前記読取手段で読取られた情報信号から同期信号が検出されたか否かを判定し、
同期信号が検出されたと判定された場合に前記第１の同期信号を選択し、同期信号が検出されなかったと判定された場合に前記第２の同期信号を選択し、
この選択された第１または第２の同期信号と前記目標周波数信号とを比較し、
この比較された差成分に基づいて前記光ディスクの回転速度を制御するようにしたことを特徴とする光ディスク装置のディスク回転制御方法。
【発明の詳細な説明】
【０００１】
【発明の属する技術分野】
この発明は、光ディスクを記録または再生する際、ディスクに記録された同期信号に基づいてディスクの回転速度を制御する光ディスク装置とディスク回転制御方法に関する。
【０００２】
【従来の技術】
従来、記録または再生中に暴走と呼ばれるようなディスクの同期信号が取れない場合、その場でディスクの回転が安定するのを待っていた。そのため、ディスクの同期信号検出に時間がかかっていた。
【０００３】
ディスクからシンクパターンが検出されない状態で、ディスクの回転速度の大幅な変動を抑えて安定させる技術がある（例えば、特許文献１参照）
この技術は、シンク信号の信頼性を判定し、信頼性が低い場合は擬似シンク信号を用いてディスクの回転速度を制御するものである。
【０００４】
しかしながら、擬似シンク信号を生成するにも結局はピックアップで読取った信号を用いているので、記録または再生中に暴走してディスクの同期信号が取れない場合には時間がかかっていた。
【０００５】
【特許文献１】
特開平１０−４９９８０号公報（第１頁）
【０００６】
【発明が解決しようとする課題】
上記したように、記録または再生中に暴走と呼ばれるようなディスクの同期信号が取れない場合、同期信号を検出するまでに時間がかかるという問題があった。
【０００７】
そこで、この発明は、光ディスクの記録または再生中に暴走してディスクの同期信号が取れない場合でも、短時間でディスクの同期信号を検出することのできる光ディスク装置とディスク回転制御方法を提供することを目的とする。
【０００８】
【課題を解決するための手段】
この発明の光ディスク装置は、回転される光ディスクの半径方向に沿って移動自在に構成され、この光ディスクに記録された同期信号を含む情報信号を読取る読取手段と、この読取手段で読取られた情報信号から同期信号を発生する発生手段と、前記読取手段の移動位置を検出する位置検出手段と、この位置検出手段で検出された位置情報に基づいて同期信号を算出する算出手段と、前記読取手段で読取られた情報信号から復調されたアドレス情報に基づいて目標周波数信号を発生する目標周波数信号発生手段と、前記読取手段で読取られた情報信号から同期信号が検出されたか否かを判定する判定手段と、この判定手段の判定結果に応じて前記発生手段で発生された同期信号、または前記算出手段で算出された同期信号を選択する選択手段と、この選択手段で選択された同期信号と前記目標周波数信号発生手段で発生された目標周波数信号とを比較する比較手段と、この比較手段で比較された差成分に基づいて前記光ディスクの回転速度を制御する制御手段とから構成されている。
【０００９】
この発明の光ディスクのディスク回転制御方法は、回転される光ディスクの半径方向に沿って移動自在に構成され、この光ディスクに記録された同期信号を含む情報信号を読取る読取手段と、この読取手段の移動位置を検出する位置検出手段とを有する光ディスク装置のディスク回転制御方法であって、前記読取手段で読取られた情報信号から第１の同期信号を発生し、前記位置検出手段で検出された位置情報に基づいて第２の同期信号を算出し、前記読取手段で読取られた情報信号から復調されたアドレス情報に基づいて目標周波数信号を発生し、前記読取手段で読取られた情報信号から同期信号が検出されたか否かを判定し、この判定結果に応じて前記第１の同期信号または前記前記第２の同期信号を選択し、この選択された第１または第２の同期信号と前記目標周波数信号とを比較し、この比較された差成分に基づいて前記光ディスクの回転速度を制御するようにしたことを特徴とする。
【００１０】
【発明の実施の形態】
以下、この発明の一実施の形態について図面を参照して説明する。
【００１１】
図１は、この発明に係る光ディスク装置の概略構成を示すものである。すなわち、光ディスク装置は、ディスクモータ１１、ピックアップ１２、ＴＡＣカウンタ部１３、復調部１４、ＲＦ増幅部１５、同期信号発生部１６、同期信号判定部１７、目標周波数信号発生部１９、周波数比較部２１、位相比較部２２、加算器２３、電力増幅部２４、ＰＵ位置検出部２５、同期信号算出部２６、及びスイッチ２７とから構成されている。
【００１２】
また、光ディスク１０は、同期信号を含む情報信号が同心円状または渦巻き上のトラック列になって記録されたディスクである。
【００１３】
光ディスク１０は、ディスクモータ１１によって回転駆動される。また、光ディスク１０の信号記録面に対向して、ピックアップ１２が設置されている。
【００１４】
ピックアップ１２は、光ディスク１０の半径方向に沿って移動自在に支持されており、回転される光ディスク１０から同期信号を含む情報信号（ＲＦ（Ｒａｄｉｏ  Ｆｒｅｑｕｅｎｃｙ）アナログ信号）をレーザ光によって読取る。そして、ピックアップ１２から出力された情報信号は、ＲＦ増幅回路１５へ出力される。
【００１５】
ＲＦ増幅回路１５は、ピックアップ１２からの情報信号を増幅して復調部１４、同期信号発生部１６、及び同期信号判定部１７に出力する。
【００１６】
復調部１４は、ＲＦ増幅回路１５から入力される情報信号からアドレス情報（ＩＤ情報）を復調し、目標周波数信号発生部１９と同期信号算出部２６とに出力する。
【００１７】
同期信号発生部１６は、ＲＦ増幅回路１５から入力される情報信号から同期信号を発生（分離）してスイッチ２７に出力する。
【００１８】
同期信号判定部１７は、ＲＦ増幅回路１５から入力される情報信号から同期信号が検出されているか否かを判定し、その判定結果をスイッチ２７に出力する。同期信号判定部１７は、例えば、所定の電圧が検出できるか否かで判定する。
【００１９】
また、ピックアップ１２には、ＴＡＣカウンタ部１３設けられている。ＴＡＣカウンタ部１３は、ピックアップ１２の移動に応じてＴＡＣ信号をＰＵ位置検出部２５に出力する。ＴＡＣカウンタ部１３は、例えば、ピックアップ１２が移動することにより発生するパルスを検出するエンコーダで構成しても良い。
【００２０】
ＰＵ位置検出部２５は、ＴＡＣ信号から移動されるピックアップ１２の位置情報を検出して同期信号算出部２６に出力する。
【００２１】
同期信号算出部２６は、復調部１４からのアドレス情報とＰＵ位置検出部２５からの位置情報とから同期信号を算出してスイッチ２７に出力する。
【００２２】
スイッチ２７は、詳しくは後述するが同期信号判定部１７からの判定結果に応じて、同期信号発生部１６からの同期信号または同期信号算出部２６からの同期信号のいずれかを周波数比較部２１と位相比較部２２とに出力する。
【００２３】
また、目標周波数信号発生部１９は、復調部１４で復調されたアドレス情報に基づいて目標周波数信号を発生し、周波数比較部２１と位相比較部２２とに出力する。
【００２４】
周波数比較部２１は、スイッチ２７からの同期信号と目標周波数信号発生部１９からの目標周波数信号とを比較し、その周波数誤差信号を発生して加算器２３に出力する。
【００２５】
位相比較部２２は、スイッチ２７からの同期信号と目標周波数信号発生部１９からの目標周波数信号とを比較し、その位相誤差信号を発生して加算器２３に出力する。
【００２６】
加算器２３は、周波数比較部２１からの周波数誤差信号と位相比較部２２からの位相誤差信号とを加算し、その加算信号を電力増幅部２４に出力する。
【００２７】
電力増幅部２４は、加算器２３からの加算信号を増幅してディスクモータ１１に供給する。
【００２８】
これにより、周波数誤差及び位相誤差がなくなるようにディスクモータ１１の回転が制御され、光ディスク１０の回転速度が線速度一定となるように制御される。
【００２９】
本発明では、同期信号判定部１７で同期信号が検出されたか否かを判定し、検出された場合は、同期信号発生部１６からの同期信号を用いて光ディスク１０の回転制御を行う。
【００３０】
しかしながら、暴走と呼ばれるような同期信号判定部１７で同期信号が検出されない場合、本発明では、位置情報とアドレス情報とから同期信号算出部２６で算出された同期信号を用いて早期に光ディスク１０の回転を安定させるものである。
【００３１】
次に、このような構成において、光ディスク装置における光ディスク１０の回転制御動作を図２のフローチャートを参照して説明する。
【００３２】
まず、ピックアップ１２から得られた光ディスク１０からの同期信号を含む情報信号がＲＦ増幅部１５で増幅される（ＳＴ１）。
【００３３】
同期信号発生部１６は、当該情報信号から同期信号を発生する（ＳＴ２）。
【００３４】
また、復調部１４は、当該情報信号からアドレス情報を復調して目標周波数信号発生部１９と同期信号算出部２６とに出力する。
【００３５】
一方、同時にピックアップ１２に設けられたＴＡＣカウンタ部１３からＴＡＣ信号がＰＵ位置検出部２５に出力される。ＰＵ位置検出部２５は、当該ＴＡＣ信号から位置情報を検出して同期信号算出部２６に出力する。
【００３６】
そして、同期信号算出部２６は、当該位置情報と上記アドレス情報とから同期信号を算出する（ＳＴ３）。
【００３７】
同期信号判定部１７は、当該情報信号から同期信号が検出されているか否かを判定する（ＳＴ４）。
【００３８】
このステップＳＴ４で同期信号が検出された場合、スイッチ２７により同期信号発生部１６からの同期信号が出力される（ＳＴ５）。
【００３９】
ステップＳＴ４で同期信号が検出されない場合、スイッチ２７により同期信号算出部２６からの同期信号が出力される（ＳＴ６）。
【００４０】
また、目標周波数信号発生部１９は、復調部１４で復調されたアドレス情報に基づいて目標周波数信号を発生する。
【００４１】
周波数比較部２１は、スイッチ２７からの同期信号と当該目標周波数信号とを比較して周波数誤差信号を発生し、位相比較部２２は、スイッチ２７からの同期信号と当該目標周波数信号とを比較して位相誤差信号を発生する（ＳＴ７）。
【００４２】
そして、加算器２３は、当該周波数誤差信号と当該位相誤差信号とを加算して加算信号を出力する（ＳＴ８）。
【００４３】
電力増幅部２４は、当該加算信号を増幅してディスクモータ１１に供給する（ＳＴ９）。
【００４４】
以上説明したように上記発明の実施の形態によれば、暴走と呼ばれる光ディスクの同期信号が検出されない場合でも、光ディスクの同期信号を早期に検出することが可能となる。
【００４５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００４６】
【発明の効果】
以上詳述したようにこの発明によれば、光ディスクの記録または再生中に暴走してディスクの同期信号が取れない場合でも、短時間でディスクの同期信号を検出することのできる光ディスク装置とディスク回転制御方法を提供することができる。
【図面の簡単な説明】
【図１】本発明の一実施の形態を示す光ディスク装置の概略構成を示すブロック図。
【図２】光ディスク装置における光ディスクの回転制御動作を説明するためのフローチャート。
【符号の説明】
１０…光ディスク、１１…ディスクモータ、１２…ピックアップ、１３…ＴＡＣカウンタ部、１４…復調部、１５…ＲＦ増幅部、１６…同期信号発生部、１７…同期信号判定部、１９…目標周波数信号発生部、２１…周波数比較部、２２…位相比較部、２３…加算器、２４…電力増幅部、２５…ＰＵ位置検出部、２６…同期信号算出部、２７…スイッチ。
【図１】
2004362622.tif 000003
【図２】
2004362622.tif 000004